(57)【要約】【課題】  写真鑑賞者の所属グループのメンバが写った写真を選択表示できるようにする。【解決手段】  電子写真を表示可能な表示部（２）を備えた電子写真表示装置（１）は、前記表示部（２）に表示される電子写真を見ようとしている人物を特定する閲覧者特定手段（１５）と、前記閲覧者特定手段（１５）により特定された人物に関係する他の人物を特定する関係者特定手段（１５）と、記録済みの電子写真に写っている人物を特定する被撮影者特定手段（１５）と、前記関係者特定手段（１５）により特定された人物と前記被撮影者特定手段（１５）により特定された人物とが同じ人物である場合に前記被撮影者特定手段（１５）において人物の特定対象となった電子写真を前記表示部（２）に表示する表示制御手段（１５）とを備える。【選択図】  図２
2011061341.tif 000002
【特許請求の範囲】
【請求項１】
電子写真を表示可能な表示部を備えた電子写真表示装置において、
前記表示部に表示される電子写真を見ようとしている人物を特定する閲覧者特定手段と、
前記閲覧者特定手段により特定された人物に関係する他の人物を特定する関係者特定手段と、
記録済みの電子写真に写っている人物を特定する被撮影者特定手段と、
前記関係者特定手段により特定された人物と前記被撮影者特定手段により特定された人物とが同じ人物である場合に前記被撮影者特定手段において人物の特定対象となった電子写真を前記表示部に表示する表示制御手段と
を備えたことを特徴とする電子写真表示装置。
【請求項２】
被写体を撮影して画像を取得する撮影手段を更に備え、
前記閲覧者特定手段は、前記撮影手段により取得した画像内に検出される人物の顔の画像に基づいて前記表示部に表示される電子写真を見ようとしている人物を特定することを特徴とする請求項１に記載の電子写真表示装置。
【請求項３】
前記被撮影者特定手段は、記録済みの電子写真内に検出される人物の顔の画像に基づいて、この電子写真に写っている人物を特定することを特徴とする請求項１に記載の電子写真表示装置。
【請求項４】
各人物の顔の画像に関連付けてその人物に関係する他の人物の顔の画像を記憶する記憶手段を更に備え、
前記関係者特定手段は、前記閲覧者特定手段により特定された人物の顔の画像に関連付けて記憶されている他の人物の顔の画像を前記記憶手段内より検索することで、前記閲覧者特定手段により特定された人物に関係する他の人物を特定することを特徴とする請求項１乃至３のいずれかに記載の電子写真表示装置。
【請求項５】
前記表示制御手段は、
前記表示部に前記電子写真を表示する際にその電子写真に人物の顔が写っているか否かを判断する第１判断手段と、
前記第１判断手段の判断結果が肯定の場合にその電子写真に写っている人物の顔が前記撮影手段で撮影されている人物の顔及び該人物に関係する他の人物の顔であるか否かを判断する第２判断手段と、
前記第２判断手段の判断結果が肯定の場合に前記表示部に対してその電子写真の表示を許容する許容手段と
を含むことを特徴とする請求項１に記載の電子写真表示装置。
【請求項６】
さらに、前記電子写真の表示優先順位を設定する設定手段を備え、
前記表示制御手段は、この表示優先順位に従って、前記関係者特定手段により特定された人物と同じ人物が写っている電子写真の表示を行う順番を制御することを特徴とする請求項１に記載の電子写真表示装置。
【請求項７】
前記設定手段は、前記撮影手段で撮影されている人物を含まない電子写真の表示優先順位を高くすることを特徴とする請求項６に記載の電子写真表示装置。
【請求項８】
前記設定手段は、前記撮影手段で撮影されている人物による鑑賞回数が少ない電子写真の表示優先順位を高くすることを特徴とする請求項６に記載の電子写真表示装置。
【請求項９】
電子写真を表示可能な表示部を備えた電子写真表示装置の制御方法において、
前記表示部に表示される電子写真を見ようとしている人物を特定する閲覧者特定工程と、
前記閲覧者特定工程により特定された人物に関係する他の人物を特定する関係者特定工程と、
記録済みの電子写真に写っている人物を特定する被撮影者特定工程と、
前記関係者特定工程により特定された人物と前記被撮影者特定工程により特定された人物とが同じ人物である場合に前記被撮影者特定工程において人物の特定対象となった電子写真を前記表示部に表示する表示制御工程と
を含むことを特徴とする制御方法。
【請求項１０】
電子写真を表示可能な表示部を備えた電子写真表示装置のコンピュータを、
前記表示部に表示される電子写真を見ようとしている人物を特定する閲覧者特定手段、
前記閲覧者特定手段により特定された人物に関係する他の人物を特定する関係者特定手段、
記録済みの電子写真に写っている人物を特定する被撮影者特定手段、
前記関係者特定手段により特定された人物と前記被撮影者特定手段により特定された人物とが同じ人物である場合に前記被撮影者特定手段において人物の特定対象となった電子写真を前記表示部に表示する表示制御手段
として機能させることを特徴とするプログラム。
【発明の詳細な説明】
【技術分野】
【０００１】
本発明は、電子写真表示装置、その制御方法及びプログラムに関する。
【背景技術】
【０００２】
デジタルカメラで撮影された写真は、デジタル形式の画像ファイル（以下、電子写真または単に写真という。）であるため、紙への印刷出力は必ずしも必要でなく、画像としていつでも好きなときに表示（パソコンのディスプレイに映し出すこと。）できるという利点があるものの、それでもパソコンに不慣れな人にとっての使い難さは否めない。
【０００３】
このため、電子写真立て（デジタルフォトフレーム：ＤＰＦ）と呼ばれる便利な表示装置が用いられている。ＤＰＦは、デジタルカメラから取り出された記録メディアをセットするだけで、当該メディアに記録されている電子写真を自動的に表示することができるものであり、パソコンに不慣れな人にとっても容易に使いこなせるものである。
【０００４】
しかし一方で、ＤＰＦは、大量の電子写真の中から見たいものを探し出しにくいという欠点がある。この点において、多くのＤＰＦでは、サムネイル画像一覧から目的の写真を見つけ出せるようになってはいるものの、一度に表示できるサムネイル画像は高々数十枚程度でしかなく、１メディアあたり数千枚を超える膨大な電子写真を記録できる大容量の記録メディアにあっては、もはやサムネイル画像の中から見つけ出すこと自体に相当の苦労を強いられている。
【０００５】
そこで、公知技術（下記の特許文献１、２に記載の技術）には、要するに、写真を鑑賞しようとする人物（以下、鑑賞者という。）の顔をカメラで撮影し、その顔と同じ人物が写りこんだ写真を見つけ出すという技術が開示されているので、この技術を応用することにより、ＤＰＦの上記欠点（大量の電子写真の中から見たいものを探し出しにくい）を解決できると考えられる。
【先行技術文献】
【特許文献】
【０００６】
【特許文献１】特開２００６−３１８３５２号公報
【特許文献２】特開２００２−０２４２２９号公報
【発明の概要】
【発明が解決しようとする課題】
【０００７】
しかしながら、上記の公知技術にあっては、鑑賞者本人が写りこんだ写真しか見つけ出すことができないという問題点がある。すなわち、多くの鑑賞場面においては、たとえば、家族の誰かが写った写真を見たいとか、あるいは、職場の誰かが写った写真を見たいなどといったように、鑑賞者本人だけでなく、その鑑賞者の関係者（家族や職場などのグループの構成員であって、以下、メンバという。）が写った写真を見たいという要求があるが、上記の公知技術は、かかる要求にまったく応じられないという問題点があり、この点において、いまだ改善の余地がある。
【０００８】
そこで、本発明は、鑑賞者の所属グループのメンバが写った写真を選択表示することができる電子写真表示装置、その制御方法及びプログラムを提供することを目的とする。
【課題を解決するための手段】
【０００９】
請求項１記載の発明は、電子写真を表示可能な表示部を備えた電子写真表示装置において、前記表示部に表示される電子写真を見ようとしている人物を特定する閲覧者特定手段と、前記閲覧者特定手段により特定された人物に関係する他の人物を特定する関係者特定手段と、記録済みの電子写真に写っている人物を特定する被撮影者特定手段と、前記関係者特定手段により特定された人物と前記被撮影者特定手段により特定された人物とが同じ人物である場合に前記被撮影者特定手段において人物の特定対象となった電子写真を前記表示部に表示する表示制御手段とを備えたことを特徴とする電子写真表示装置である。
請求項２記載の発明は、被写体を撮影して画像を取得する撮影手段を更に備え、前記閲覧者特定手段は、前記撮影手段により取得した画像内に検出される人物の顔の画像に基づいて前記表示部に表示される電子写真を見ようとしている人物を特定することを特徴とする請求項１に記載の電子写真表示装置である。
請求項３記載の発明は、前記被撮影者特定手段は、記録済みの電子写真内に検出される人物の顔の画像に基づいて、この電子写真に写っている人物を特定することを特徴とする請求項１に記載の電子写真表示装置である。
請求項４記載の発明は、各人物の顔の画像に関連付けてその人物に関係する他の人物の顔の画像を記憶する記憶手段を更に備え、前記関係者特定手段は、前記閲覧者特定手段により特定された人物の顔の画像に関連付けて記憶されている他の人物の顔の画像を前記記憶手段内より検索することで、前記閲覧者特定手段により特定された人物に関係する他の人物を特定することを特徴とする請求項１乃至３のいずれかに記載の電子写真表示装置である。
請求項５記載の発明は、前記表示制御手段は、前記表示部に前記電子写真を表示する際にその電子写真に人物の顔が写っているか否かを判断する第１判断手段と、前記第１判断手段の判断結果が肯定の場合にその電子写真に写っている人物の顔が前記撮影手段で撮影されている人物の顔及び該人物に関係する他の人物の顔であるか否かを判断する第２判断手段と、前記第２判断手段の判断結果が肯定の場合に前記表示部に対してその電子写真の表示を許容する許容手段とを含むことを特徴とする請求項１に記載の電子写真表示装置である。
請求項６記載の発明は、さらに、前記電子写真の表示優先順位を設定する設定手段を備え、前記表示制御手段は、この表示優先順位に従って、前記関係者特定手段により特定された人物と同じ人物が写っている電子写真の表示を行う順番を制御することを特徴とする請求項１に記載の電子写真表示装置である。
請求項７記載の発明は、前記設定手段は、前記撮影手段で撮影されている人物を含まない電子写真の表示優先順位を高くすることを特徴とする請求項６に記載の電子写真表示装置である。
請求項８記載の発明は、前記設定手段は、前記撮影手段で撮影されている人物による鑑賞回数が少ない電子写真の表示優先順位を高くすることを特徴とする請求項６に記載の電子写真表示装置である。
請求項９記載の発明は、電子写真を表示可能な表示部を備えた電子写真表示装置の制御方法において、前記表示部に表示される電子写真を見ようとしている人物を特定する閲覧者特定工程と、前記閲覧者特定工程により特定された人物に関係する他の人物を特定する関係者特定工程と、記録済みの電子写真に写っている人物を特定する被撮影者特定工程と、前記関係者特定工程により特定された人物と前記被撮影者特定工程により特定された人物とが同じ人物である場合に前記被撮影者特定工程において人物の特定対象となった電子写真を前記表示部に表示する表示制御工程とを含むことを特徴とする制御方法である。
請求項１０記載の発明は、電子写真を表示可能な表示部を備えた電子写真表示装置のコンピュータを、前記表示部に表示される電子写真を見ようとしている人物を特定する閲覧者特定手段、前記閲覧者特定手段により特定された人物に関係する他の人物を特定する関係者特定手段、記録済みの電子写真に写っている人物を特定する被撮影者特定手段、前記関係者特定手段により特定された人物と前記被撮影者特定手段により特定された人物とが同じ人物である場合に前記被撮影者特定手段において人物の特定対象となった電子写真を前記表示部に表示する表示制御手段として機能させることを特徴とするプログラムである。
【発明の効果】
【００１０】
本発明によれば、鑑賞者の所属グループのメンバが写った写真を選択表示することができる電子写真表示装置、その制御方法及びプログラムを提供することができる。
【図面の簡単な説明】
【００１１】
【図１】実施形態に係るＤＰＦの外観図である。
【図２】ＤＰＦ１の内部ブロック図である。
【図３】付加機能で使用される可変データを示す図である。
【図４】鑑賞対象の写真のファイル構造を示す図である。
【図５】制御部１５のＣＰＵ１６で実行される制御プログラムを示す図である。
【図６】メニュー画面を示す図である。
【図７】登録処理（図５のステップＳ５）の詳細フローを示す図である。
【図８】鑑賞者登録画面を示す図及びグループ選択画面を示す図である。
【図９】グループ表示処理（図５のステップＳ４）の詳細フローを示す図（１／２）である。
【図１０】グループ表示処理（図５のステップＳ４）の詳細フローを示す図（２／２）である。
【図１１】優先条件設定処理（図９のステップＳ３９）の詳細フローを示す図である。
【図１２】本実施形態の動作例を示す図である。
【図１３】実施形態のカテゴリ分け処理（図５参照）の改良例を示す図である。
【発明を実施するための形態】
【００１２】
以下、本発明の実施形態を、電子写真立て（ＤＰＦ）への適用を例にして、図面を参照しながら説明する。
図１は、実施形態に係るＤＰＦの外観図である。この図において、電子写真表示装置としてのＤＰＦ１は、液晶パネルやＥＬパネルあるいはプラズマパネルまたは電子ペーパ等の表示情報書き換え型の表示デバイスを用いた、タッチパネル付の表示部２と、その表示部２の周囲を取り囲む、適当にデザインされた額縁３と、額縁３の背面に設けられた電子回路収容箱４と、この電子回路収容箱４の背面に取り付けられた可倒式の脚部５とを備えると共に、額縁３の前面側の任意位置（図では表示部２の上）に取り付けられたカメラ６を備えている。
【００１３】
カメラ６の撮影画角αは、ＤＰＦ１の表示部２に表示される写真を鑑賞する人物（以下、鑑賞者７）の少なくとも顔が撮影できる適切な値に設定されており、また、カメラ６の焦点距離についても鑑賞者７までの距離に合わせて適切に設定されている。
【００１４】
電子回路収容箱４の側面には、電源スイッチ８と、カード型メモリ装置（ＣＦカードやＳＤカードなど）または脱着式ハードディスクもしくは磁気ディスク等の記録メディアを挿入するためのメディアスロット９と、電源コネクタ１０とが設けられており、このＤＰＦ１を使用する際には、ＡＣアダプタ１１のＡＣプラグ１２を不図示の壁面コンセントに挿し、さらに、ＡＣアダプタ１１の電源プラグ１３を電子回路収容箱４の側面の電源コネクタ１０に差し込んでから、電源スイッチ８をオンにする。
【００１５】
図２は、ＤＰＦ１の内部ブロック図である。この図において、電源部１４はＡＣアダプタ１１からのＤＣ電源供給を受けて、このＤＰＦ１の動作に必要な各種電源を発生する。制御部１５は、ＣＰＵ（中央処理装置）１６、ＲＡＭ（揮発性高速メモリ）１７、ＲＯＭ（不揮発性メモリ）１８及びその他の周辺回路からなる、いわゆるマイクロコンピュータ（又は単にコンピュータ）で構成されており、あらかじめＲＯＭ１８に書き込まれている制御プログラム（後述の図５参照）をＲＡＭ１７に読み込み、その制御プログラムをＣＰＵ１６で実行することにより、電子写真立てとしての所要の機能を実現する。
【００１６】
具体的には、制御部１５は、メディアＩ／Ｆ部１９のメディアスロット９に差し込まれた記録メディア２０に格納されている画像ファイル（以下、便宜的に「写真」という。）を読み出して表示部２に表示するという電子写真立てとしての基本的機能を実現することに加え、本実施形態にあっては、後で詳しく説明するように、表示部２に写真を表示する際に、単に複数の写真を順番またはランダムに表示するのではなく、カメラ６で撮影した鑑賞者の顔の画像に基いて、その鑑賞者の所属グループのメンバが写っている写真を選択して表示するという特有の機能（以下、付加機能という。）を実現する点で冒頭で説明した公知技術（特許文献１、２に記載のもの）と相違する。
【００１７】
ここで、表示部２の前面にはタッチパネル２１が設けられており、このタッチパネル２１への指先等によるタッチ情報が制御部１５に入力されるようになっている。また、ＤＰＦ１の内部にはフラッシュメモリや磁気ディスク等の不揮発性記憶デバイスからなる記憶部２２が設けられており、この記憶部２２には、付加機能で使用される様々な可変データ、具体的には、後述の「グループテーブル」や「メンバテーブル」及び「メンバの顔写真（画像ファイル）」などが格納されている。
【００１８】
図３は、付加機能で使用される可変データを示す図であり、（ａ）はグループテーブルの構造図、（ｂ）はメンバテーブルの構造図、（ｃ）はメンバの画像ファイルの模式図、（ｄ）はグループ内メンバ一時テーブルの構造図である。
【００１９】
（ａ）に示すように、グループテーブル２３は、１グループあたり１レコードのテーブル構造をなしており、各レコードはグループＩＤフィールド２３ａと、グループ名フィールド２３ｂとで構成されている。グループＩＤフィールド２３ａには各グループを一意に識別するためのＩＤ情報（以下、グループＩＤ）が格納され、グループ名フィールド２３ｂには各グループを表す適当な名前が格納されている。なお、この図では、グループＩＤを“Ｇ０１”、“Ｇ０２”、“Ｇ０３”、・・・・、グループ名を“家族”、“夫婦”、“兄弟”、・・・・としているが、これらは説明のための便宜例である。
【００２０】
（ｂ）に示すように、メンバテーブル２４は、１メンバあたり１レコードのテーブル構造をなしており、各レコードはメンバＩＤフィールド２４ａと、メンバの画像ファイルフィールド２４ｂと、メンバの所属グループフィールド２４ｃとで構成されている。メンバＩＤフィールド２４ａには各メンバを一意に識別するためのＩＤ情報（以下、メンバＩＤ）が格納され、メンバの画像ファイルフィールド２４ｂには各メンバの少なくとも顔を記録した画像ファイルへのリンク情報が格納されており、さらに、メンバの所属グループフィールド２４ｃには各メンバの所属グループのグループＩＤが格納されている。
【００２１】
ここで、図示の例においては、各メンバの少なくとも顔を記録した画像ファイルへのリンク情報として、“画像ファイル２５ａ”、“画像ファイル２５ｂ”、“画像ファイル２５ｃ”、“画像ファイル２５ｄ”、・・・・としているが、これは説明上の便宜である。実際には、各メンバの少なくとも顔を記録した画像ファイル２５ａ、２５ｂ、２５ｃ、２５ｄの格納位置、具体的には記憶部２２におけるパス情報が格納される。
【００２２】
なお、この図においても、メンバＩＤを“Ｍ０１”、“Ｍ０２”、“Ｍ０３”、“Ｍ０４”、・・・・としているが、これに限定されない。重複しない値であればよい。
【００２３】
また、各メンバの所属グループを“Ｍ０１”→“Ｇ０１、Ｇ０２”、“Ｍ０２”→“Ｇ０１、Ｇ０２”、“Ｍ０３”→“Ｇ０１、Ｇ０３”、“Ｍ０４”→“Ｇ０１、Ｇ０３”としているが、これらも一例である。つまり、上記のグループテーブル２３より、“Ｇ０１”は“家族”、“Ｇ０２”は“夫婦”、“Ｇ０３”は“兄弟”であるから、この例における四人のメンバ（“Ｍ０１”、“Ｍ０２”、“Ｍ０３”、“Ｍ０４”）は“家族”というグループに属し、また、そのうちの二人のメンバ（“Ｍ０１”、“Ｍ０２”）は“夫婦”というグループに属し、且つ、残りの二人のメンバ（“Ｍ０３”、“Ｍ０４”）は“兄弟”というグループに属しているから、この例は、単に四人家族のグループ構成を一例として示しているに過ぎない。
【００２４】
（ｃ）は、各メンバの少なくとも顔を記録した画像ファイル２５ａ、２５ｂ、２５ｃ、２５ｄの模式図である。上記のメンバテーブル２４より、画像ファイル２５ａは、メンバＩＤ“Ｍ０１”として登録されている鑑賞者Ａの少なくとも顔を含む姿をカメラ６で写したものであり、また、画像ファイル２５ｂは、メンバＩＤ“Ｍ０２”として登録されている鑑賞者Ｂの少なくとも顔を含む姿をカメラ６で写したものである。さらに、画像ファイル２５ｃは、メンバＩＤ“Ｍ０３”として登録されている鑑賞者Ｃの少なくとも顔を含む姿をカメラ６で写したものであり、また、画像ファイル２５ｄは、メンバＩＤ“Ｍ０４”として登録されている鑑賞者Ｄの少なくとも顔を含む姿をカメラ６で写したものである。
【００２５】
（ｄ）に示すように、グループ内メンバ一時テーブル２６は、１グループあたり１レコードのテーブル構造をなしており、各レコードはグループＩＤフィールド２６ａと、メンバＩＤフィールド２６ｂとで構成されている。グループＩＤフィールド２６ａにはグループＩＤが格納され、メンバＩＤフィールド２６ｂには、各グループに属するすべてのメンバＩＤが格納されている。なお、このグループ内メンバ一時テーブル２６は、必要の都度、（ａ）のグループテーブル２３と（ｂ）のメンバテーブル２４とにより動的に生成されるものである。
【００２６】
図４は、鑑賞対象の写真（つまり、記録メディア２０に収められている電子写真）のファイル構造を示す図であり、ここでは、代表的なＪＰＧ形式のファイル構造を模式化して示している。このファイル構造２７は、ファイルの始まりと終わりを示すスタートマーカ２８及びエンドマーカ２９と、それらのマーカ間に挟まれたセグメント部３０及びイメージデータ部３１とからなり、イメージデータ部３１には写真のイメージ本体部分が格納され、セグメント部３０には圧縮率等の符号化情報やその他の写真情報（撮影日時、シャッタ速度、絞り・・・・等）が格納されるほか、さらに、アプリケーションによって任意に利用可能なアプリケーションデータ部３２が設けられている。
【００２７】
本実施形態においては、特にそれに限定されないが、このアプリケーションデータ部３２を利用して各写真の鑑賞履歴を記録するものとする。すなわち、実施形態では、鑑賞対象の写真の各々について、そのアプリケーションデータ部３２に、鑑賞者ごとのメンバＩＤ格納部３３と、その鑑賞者が写っているか否かを示す本人写り有無部３４と、各鑑賞者ごとの鑑賞回数を記録する鑑賞回数部３５とを含む鑑賞履歴情報記録部３６を設けるものとする。なお、鑑賞履歴の記録は、これ以外の方法で行ってもよい。たとえば、別途に履歴データベースを用意し、そのデータベースにより、鑑賞者ごとのメンバＩＤや、その鑑賞者が写っているか否かを示す本人写り有無、及び、各鑑賞者ごとの鑑賞回数などの鑑賞履歴を管理してもよい。
【００２８】
図５は、制御部１５のＣＰＵ１６で実行される制御プログラムを示す図である。この図において、ＤＰＦ１の電源スイッチ８がオンになると、まず、表示部２に所定のメニュー画面を表示し（ステップＳ１）、ユーザ（鑑賞者）によるメニュー項目の選択操作に応答して、それらの項目に対応してあらかじめ設定されている各処理、ここでは、「通常（順次）表示処理」、「通常（ランダム）表示処理」、「グループ表示処理」、「登録処理」のひとつを実行する（ステップＳ２〜ステップＳ５）。
【００２９】
なお、通常（順次）表示処理とは、記録メディア２０に収められている写真を、ファイル番号順や撮影日時順など所定の順番で次々と表示する通常の表示モードのことである。また、通常（ランダム）表示処理も通常の表示モードの一つであるが、写真の表示順を不規則にする点で、上記の通常（順次）表示処理と相違する。これら二つの通常表示モードは、他の公知の電子写真表示装置（ＤＰＦ等）にも搭載されているが、残り二つの「グループ表示処理」と「登録処理」は、本実施形態に特有のものである。
【００３０】
図６は、メニュー画面を示す図である。この図において、メニュー画面３７には、通常と特別の二つのオブジェクト枠３８、３９が設けられており、画面上側のオブジェクト枠３８には通常表示モードに関係する二つのボタンオブジェクト（以下、第一ボタンオブジェクト４０、第二ボタンオブジェクト４１）が設けられ、さらに、画面下側のオブジェクト枠３９には特別表示モードに関係する二つのボタンオブジェクト（以下、第三ボタンオブジェクト４２、第四ボタンオブジェクト４３）が設けられている。
【００３１】
第一ボタンオブジェクト４０のタイトルは“全ての写真を順番に表示”であり、第二ボタンオブジェクト４１のタイトルは“全ての写真をランダムに表示”である。また、第三ボタンオブジェクト４２のタイトルは“鑑賞者の所属グループの写真を表示”であり、第四ボタンオブジェクト４３のタイトルは“鑑賞者の登録”である。
【００３２】
鑑賞者によって第一ボタンオブジェクト４０が操作されると、図５のステップＳ２〔通常（順次）表示処理〕が実行され、第二ボタンオブジェクト４１が操作されると、図５のステップＳ３〔通常（ランダム）表示処理〕が実行される。また、鑑賞者によって第三ボタンオブジェクト４２が操作されると、図５のステップＳ４〔グループ表示処理〕が実行され、第四ボタンオブジェクト４３が操作されると、図５のステップＳ５〔登録処理〕が実行される。
【００３３】
図７は、登録処理（図５のステップＳ５）の詳細フローを示す図である。このフローでは、まず、表示部２に鑑賞者登録画面を表示する（ステップＳ１１）。
【００３４】
図８（ａ）は、鑑賞者登録画面を示す図である。鑑賞者登録画面４４には、カメラ６のライブビュー表示枠４５と、登録ボタン４６と、キャンセルボタン４７とが設けられており、登録を希望する鑑賞者は、ライブビュー表示枠４５の顔位置案内枠線４８に自分の顔が収まるように立ち位置や体の姿勢及び顔の向きなどを調節し、そのまま登録する場合は登録ボタン４６を押し、中止する場合はキャンセルボタン４７を押す。
【００３５】
再び、図７に戻り、ステップＳ１１で鑑賞者登録画面を表示すると、次に、カメラ６をオンにし（ステップＳ１２）、登録ボタン４６やキャンセルボタン４７の操作を判定する（ステップＳ１３、ステップＳ１４）。キャンセルボタン４７の操作を判定した場合は、カメラ６をオフにし（ステップＳ１５）、そのままフローを終了して、図５のステップＳ１に戻り（図６のメニュー画面３７を再表示し）、一方、登録ボタン４６の操作を判定した場合は、次に、カメラ６を用いて静止画（つまり、登録対象者である鑑賞者の顔写真）を撮影し（ステップＳ１６）、新規メンバの画像ファイル（図３（ｃ）参照）として記憶部２２に記録（ステップＳ１７）した後、カメラ６をオフにし（ステップＳ１８）、表示部２にグループ選択画面を表示する（ステップＳ１９）。
【００３６】
図８（ｂ）は、グループ選択画面を示す図である。グループ選択画面４９には、図３（ａ）のグループテーブル２３に登録されている全てのグループ名を一覧表示するリストボックス５０と、登録ボタン５１とが設けられている。たとえば、登録対象者の所属グループを“家族”として登録する場合は、リストボックス５０の“家族”を選択（白黒反転は選択状態を示す）し、登録ボタン５１を押す。なお、リストボックス５０は複数選択が可能であり、たとえば、“家族”と“夫婦”や、“家族”と“兄弟”などの複数グループの登録も行うことができるようになっている。また、多数のグループが登録されている場合にリストボックス５０に表示しきれないことがあるが、このような場合はリストボックス５０の右辺に設けられている上スピンボタン５２や下スピンボタン５３又は上下スライドバー５４を操作することにより、隠れているグループ名を表示できるようになっている。加えて、このグループ選択画面４９では、新たなグループを追加することもできる。テキストボックス５５は新規グループ名の入力枠であり、追加ボタン５６は、このテキストボックス５５に入力された新たなグループ名を、図３（ａ）のグループテーブル２３に新規に追加登録するためのものである。また、キャンセルボタン５７は、以上のグループ登録や新規登録を中止して、図５のステップＳ１に戻る（図６のメニュー画面３７を再表示する）ためのものである。
【００３７】
再び、図７に戻り、ステップＳ１９でグループ選択画面を表示すると、次に、登録ボタン５１や追加ボタン５６又はキャンセルボタン５７の操作を判定する（ステップＳ２０〜ステップＳ２２）。登録ボタン５１の操作を判定すると、図３（ｂ）のメンバテーブル２４に新たなメンバとして鑑賞者を追加登録（ステップＳ２３）した後、図５のステップＳ１に戻る（図６のメニュー画面３７を再表示する）。
【００３８】
また、追加ボタン５６の操作を判定すると、図３（ａ）のグループテーブル２３に新たなグループを追加し（ステップＳ２４）、再度、登録ボタン５１や追加ボタン５６又はキャンセルボタン５７の操作を判定し（ステップＳ２０〜ステップＳ２２）、あるいは、キャンセルボタン５７の操作を判定すると、図５のステップＳ１に戻る（図６のメニュー画面３７を再表示する）。
【００３９】
図９及び図１０は、グループ表示処理（図５のステップＳ４）の詳細フローを示す図である。このフローでは、まず、メディアスロット９に記録メディア２０が挿入されているか否かを判定し（ステップＳ３１）、挿入されていなければ、表示部２にメディア挿入を促す所定の警告メッセージを表示（ステップＳ３２）した後、再び、ステップＳ３１に戻る。
【００４０】
一方、メディアが挿入されていた場合は、次に、カメラ６をオン（ステップＳ３３）にし、鑑賞者の特定を行う（ステップＳ３４）。鑑賞者の特定は、カメラ６によって撮影された現在の鑑賞者の顔と、記憶部２２に記録されているメンバの画像ファイル２５ａ〜２５ｄから取り出された顔とを照合し、その照合結果を、図３（ｂ）のメンバテーブル２４に当てはめて行う。具体的に説明すると、今、ある人物の顔をカメラ６で撮影して、その顔と、記憶部２２に記録されているメンバの画像ファイル２５ａ〜２５ｄから取り出した顔とを照合した結果、仮に、画像ファイル２５ａの一致度合いが最も高かったとすると、図３（ｂ）のメンバテーブル２４における画像ファイル２５ａのリンク情報格納レコードはメンバＩＤ“Ｍ０１”の第１レコードであるから、この場合、ステップＳ３４で特定される鑑賞者はメンバＩＤ“Ｍ０１”の人物Ａになる。
【００４１】
ステップＳ３４で鑑賞者が特定されなかった場合、たとえば、カメラ６の前に人がいなかった場合や、未登録の人物が立っていた場合には、鑑賞者が特定されなかった旨を示す所定の警告メッセージを表示部２に表示すると共に、カメラ６をオフ（ステップＳ３５）にしてステップＳ３１に戻るが、ステップＳ３４で鑑賞者が特定され場合は、次に、カメラ６をオフにし（ステップＳ３６）、ステップＳ３４で特定した鑑賞者のメンバＩＤを変数ＭＩＤにセット（ステップＳ３７）した後、図３（ｄ）のグループ内メンバ一時テーブル２６を生成し（ステップＳ３８）、表示優先条件設定処理（ステップＳ３９）を実行する。
【００４２】
図１１は、優先条件設定処理（図９のステップＳ３９）の詳細フローを示す図である。このフローでは、まず、表示条件設定画面を表示部２に表示する（ステップＳ６１）。
【００４３】
図１２は、表示条件設定画を示す図である。表示条件設定画５８には、二つのチェックボックス（以下、第一チェックボックス５９、第二チェックボックス６０）と、ＯＫボタン６１と、キャンセルボタン６２とが設けられている。第一チェックボックス５９のタイトルは“鑑賞者を含まない写真を優先表示する”であり、また、第ニチェックボックス６０のタイトルは“鑑賞回数の少ない写真を優先表示する”である。第一チェックボックス５９と第二チェックボックス６０のいずれか一方または双方に図示のような「チェック」を入れて、ＯＫボタン６１を押すことにより（図９のステップＳ６２）、対応する表示優先条件を設定することができる（図９のステップＳ６４）。あるいは、不要な表示優先条件の「チェック」を外してＯＫボタン６１を押してもよい。また、キャンセルボタン６２を押した場合は（図９のステップＳ６３）、表示優先条件の設定作業を中止する。
【００４４】
再び、図９及び図１０のフローに戻り、ステップＳ３９の表示優先条件設定処理を終了すると、次に、写真表示カウンタｉに初期値“１”をセットすると共に、カウンタ最大値変数ｉｍａｘに全写真数（記録メディア２０に収められている写真の総枚数）をセットし（ステップＳ４０）、記録メディア２０からｉ番目の写真を読み出す（ステップＳ４１）。そして、そのｉ番目の写真に人物が写っているか否かを判定し（ステップＳ４２）、写っていれば、図３（ｂ）のメンバテーブル２４からＭＩＤ（＝現在の鑑賞者のメンバＩＤ）の所属グループを取り出し（ステップＳ４３）、さらに、ステップＳ３８で生成したグループ内メンバ一時テーブル２６から、その所属グループの全てのメンバＩＤを取り出す（ステップＳ４４）。
【００４５】
次に、ステップＳ４４で取り出した全てのメンバＩＤの顔とｉ番目の写真に写っている人物の顔との照合をとり（ステップＳ４５）、一致している顔があった場合は（ステップＳ４６のＹＥＳ）、そのｉ番目の写真を表示候補とする一方（ステップＳ４７）、一致する顔がなかった場合は、ステップＳ４７をパスする（ｉ番目の写真を表示候補に入れない）。
【００４６】
次に、ｉ番目の写真に残りの人物が写っているか否かを判定し（ステップＳ４８）、写っていれば、ステップＳ４５に戻り、写っていなければ、ｉを＋１して（ステップＳ４９）、ｉｍａｘを超えたか否かを判定し（ステップＳ５０）、超えていない場合は、次順の写真を読み出すためにステップＳ４１に戻り、超えている場合には、表示候補ありか否かを判定する（ステップＳ５１）。
【００４７】
そして、表示候補がなければ、そのままフローを終了し、表示候補があれば、先に設定した表示優先条件に従って候補写真を表示部２に順次表示する（ステップＳ５２）。たとえば、「鑑賞者を含まない写真を優先表示する」の条件が設定されていた場合は、現在の鑑賞者の所属グループのメンバが写っている写真のうち、当該鑑賞者を含まない写真を優先的に表示する。または、「鑑賞回数の少ない写真を優先表示する」の条件が設定されていた場合は、現在の鑑賞者の所属グループのメンバが写っている写真のうち、当該鑑賞者によって過去に鑑賞された回数が少ない写真を優先的に表示する。このようにして、候補写真の順次表示を完了すると、次いで、表示済み写真の鑑賞回数等（図４の鑑賞履歴情報記録部３６参照）を更新して（ステップＳ５３）フローを終了する。なお、表示済み写真の鑑賞回数等の更新は、１枚又は数枚の写真を表示するたびに行うようにしてもよい。
【００４８】
図１３は、本実施形態の動作例を示す図である。この図において、（ａ）〜（ｆ）の７枚の写真（１．ｊｐｇ〜７．ｊｐｇ）は、記録メディア２０に収められている写真（鑑賞対象の写真）の一例を示している。１．ｊｐｇにはＢ、Ｅ、Ｆ、Ｇの四人が写っており、また、２．ｊｐｇにはＢ、Ｃ、Ｄの三人が写っている。同様に、３．ｊｐｇにはＨ、Ｃ、Ｉ、Ｊの四人が写っており、また、４．ｊｐｇにはＣ、Ｄの二人が写っており、５．ｊｐｇにはＢ、Ｄの二人が写っており、６．ｊｐｇにはＡ、Ｂ、Ｃ、Ｄの四人が写っている。なお、７．ｊｐｇは風景写真であり、人物は写っていない。
【００４９】
ここで、これらの写真に写っている人物Ａ、Ｂ、Ｃ、Ｄ、Ｅ、Ｆ、Ｇ、Ｈ、Ｉ、Ｊのうち四人の人物Ａ、Ｂ、Ｃ、Ｄは、鑑賞者として登録済みの人物（つまり、図３（ｂ）のメンバテーブル２４に登録済みのメンバ）であり、記録部２２に記録されている画像ファイル２５ａは人物Ａのもの、画像ファイル２５ｂは人物Ｂのもの、画像ファイル２５ｃは人物Ｃのもの、画像ファイル２５ｄは人物Ｄのものである。
【００５０】
７枚の写真（１．ｊｐｇ〜７．ｊｐｇ）の右側には、それぞれ鑑賞履歴情報記録部６３〜６９が示されている。これらの鑑賞履歴情報記録部６３〜６９は、図４の鑑賞履歴情報記録部３６と同じものであり、たとえば、１．ｊｐｇには人物Ｂの本人が写っているので、その人物ＢのメンバＩＤ（Ｍ０２）の本人写り情報に「有」がセットされている。同様に、２．ｊｐｇには人物Ｂ、Ｃ、Ｄの各本人が写っているので、それらの人物Ｂ、Ｃ、ＤのメンバＩＤ（Ｍ０２、Ｍ０３、Ｍ０４）の本人写り情報に「有」がセットされている。また、３．ｊｐｇには人物Ｃの本人が写っているので、その人物ＣのメンバＩＤ（Ｍ０３）の本人写り情報に「有」がセットされており、４．ｊｐｇには人物Ｃ、Ｄの各本人が写っているので、それらの人物Ｃ、ＤのメンバＩＤ（Ｍ０３、Ｍ０４）の本人写り情報に「有」がセットされており、さらに、５．ｊｐｇには人物Ａ、Ｂ、Ｃ、Ｄの各本人が写っているので、それらの人物Ａ、Ｂ、Ｃ、ＤのメンバＩＤ（Ｍ０１、Ｍ０２、Ｍ０３、Ｍ０４）の本人写り情報に「有」がセットされている。なお、７．ｊｐｇには人物Ａ、Ｂ、Ｃ、Ｄのいずれも写っていないため、それらの人物Ａ、Ｂ、Ｃ、ＤのメンバＩＤ（Ｍ０１〜Ｍ０４）の本人写り情報に「有」はセットされていない。
【００５１】
また、それぞれの鑑賞履歴情報記録部６３〜６９に人物Ａ、Ｂ、Ｃ、Ｄごとの鑑賞回数がセットされている。たとえば、１．ｊｐｇにはＡ＝０回、Ｂ＝０回、Ｃ＝０回、Ｄ＝０回がセットされており、この写真（１．ｊｐｇ）を登録済み鑑賞者（人物Ａ、Ｂ、Ｃ、Ｄ）の誰もまだ見ていないことを示している。また、２．ｊｐｇにはＡ＝１回、Ｂ＝０回、Ｃ＝０回、Ｄ＝０回がセットされており、この写真（１．ｊｐｇ）を登録済み鑑賞者（人物Ａ、Ｂ、Ｃ、Ｄ）のうち人物Ａだけが１度見ていることを示している。
【００５２】
今、先の表示条件設定（図１２参照）において、「鑑賞者を含まない写真を優先表示する」と「鑑賞回数の少ない写真を優先表示する」の二つにチェックが入っている場合の動作を説明する。なお、鑑賞者はメンバＩＤ“Ｍ０１”の人物Ａとする。この場合、表示候補となる写真は、人物Ａの所属グループのメンバが写っている写真すべてである。つまり、人物Ａの所属グループは“家族”と“夫婦”であるから、それらのグループのメンバである人物Ａ、Ｂ、Ｃ、Ｄが写っている写真（１．ｊｐｇ、２．ｊｐｇ、３．ｊｐｇ、４．ｊｐｇ、５．ｊｐｇ、６．ｊｐｇ）のすべてが、とりあえずの表示候補となる。
【００５３】
そして、「鑑賞者を含まない写真を優先表示する」という条件に従い、上記の表示候補の写真のうち鑑賞者本人（人物Ａ）が写った写真「６．ｊｐｇ」の表示順を後ろにずらし、さらに、「鑑賞回数の少ない写真を優先表示する」という条件に従い、表示順を再調整して最終決定する。
【００５４】
このように、本実施形態によれば、あらかじめ写真の鑑賞者の顔写真を登録しておくことにより、それらの鑑賞者が写真を見ようとしたときに、その鑑賞者の所属グループのメンバが写っている写真だけを取り出して選択的に表示することができ、とりわけ大量の写真の中から自分に関係する写真だけを表示する際の検索の手間を省き、使い勝手の良い電子写真表示装置を実現することができる。
【００５５】
また、所望により、鑑賞者本人を含まない写真を優先表示したり、または、鑑賞回数の少ない写真を優先表示したりできるから、見たい写真を先に表示して、時間の節約を図ることもできる。
【００５６】
以上のとおりであるから、本実施形態によれば、鑑賞者の所属グループのメンバが写った写真を選択表示することができる電子写真表示装置、その制御方法及びプログラムを提供することができる。
【００５７】
なお、以上の説明では、電子写真立て（ＤＰＦ）への適用を示したが、これはあくまでも一例に過ぎない。電子写真（デジタル形式の画像ファイル）を表示可能な表示装置であればどのようなものであってもよく、たとえば、写真再生用のディスプレイを備えた、デジタルカメラやデジタルビデオカメラ、写真ストレージ、ゲームマシン、パーソナルコンピュータ、あるいは、携帯電話機、その他の写真表示装置であってもよい。
【００５８】
また、実施形態では、着脱式の記録メディア２０に収められている電子写真を表示するとしているが、これ以外にも、たとえば、内部メモリとしての記憶部２２に収められている電子写真を表示するようにしてもよく、あるいは、ＬＡＮやＷＡＮ等のネットワーク上に保存されている電子写真、または、赤外線やブルーツース等の近距離通信によって伝送された電子写真を表示するようにしてもよい。
また、実施形態では、グループテーブル、メンバテーブル、およびグループ内メンバ一時テーブルに記憶されている人物をメンバＩＤにより識別（特定）するようにしたが、一般的な人物の名前などを用いて人物を識別（特定）するようにしてもよい。
また、実施形態では、電子写真立ての前面に設けられたカメラ部で撮像された画像に基づいて当該電子写真立ての表示部に表示された電子写真を見ようとしている人物を識別（特定）したが、電子写真立てにカメラ部を備えずとも、外部から入力された情報に基づいて、当該電子写真立ての表示部に表示された電子写真を見ようとしている人物を識別（特定）するようにしてもよい。
また、カメラ部で撮像された画像ではなく、マイク部で入力された音声などに基づいて人物を識別（特定）するようにしてもよい。
また、実施形態では、記録済みの電子写真内に検出される人物の顔の画像に基づいて、この電子写真に写っている人物を特定したが、予め各電子写真に写っている人物を示す属性情報を各電子写真に付加して記録しておき、この属性情報に基づいて電子写真に写っている人物を特定するようにしてもよい。
また、実施形態では、電子写真立ての表示部に表示しようとする電子写真を特定した後、当該電子写真を表示するか否かを当該電子写真を見ようとしている人物の顔に基づいて決定しているが、電子写真を見ようとしている人物の顔に基づいて、複数の電子写真の中から表示する電子写真を選択するようにしてもよい。
【符号の説明】
【００５９】
１  ＤＰＦ（電子写真表示装置）
２  表示部
６  カメラ（撮影手段）
１５  制御部（閲覧者特定手段、関係者特定手段、被撮影者特定手段、表示制御手段、第１判断手段、第２判断手段、許容手段、設定手段）
２２  記憶部（記憶手段）
【図１】
2011061341.tif 000003
【図２】
2011061341.tif 000004
【図３】
2011061341.tif 000005
【図４】
2011061341.tif 000006
【図５】
2011061341.tif 000007
【図６】
2011061341.tif 000008
【図７】
2011061341.tif 000009
【図８】
2011061341.tif 000010
【図９】
2011061341.tif 000011
【図１０】
2011061341.tif 000012
【図１１】
2011061341.tif 000013
【図１２】
2011061341.tif 000014
【図１３】
2011061341.tif 000015